(57)【特許請求の範囲】
【請求項１】
デジタル映像信号が入力され、画質調整データに応じて前記デジタル映像信号を調整して画面の明るさを調整する映像処理部を有した放送受信装置において、
少なくとも地域毎の日中の開始時刻と終了時刻テーブルを有した日中の開始時刻と終了時刻テーブル保持部と、
デジタル放送規定による地域の設定情報に基づいて本装置が設置されている設置地域を判別する設置地域判別部と、
前記設置地域の情報に基づいて、前記日中の開始時刻と終了時刻テーブルを参照し、前記設置地域の日中の開始時刻と終了時刻を特定する日中の開始時刻と終了時刻特定部と、
前記特定された日中の開始時刻と終了時刻に基づいて、前記開始時刻と終了時刻に到達する前の時間帯で次第に変化する前記画質調整データを出力し、前記開始時刻の前では前記画面を明方向へ、前記終了時刻の前では前記画面を暗方向へ調整する適応画質調整部と、
周囲の明るさを検出するセンサーと、
前記センサーの出力に応じて前記画質調整データを補正するセンサー出力利用部と、
を有することを特徴とする映像画質制御装置。
【請求項２】
前記日中の開始時刻と終了時刻テーブル保持部は、地域毎の日中の開始時刻と終了時刻テーブルを四季で分類して保持していることを特徴とする請求項１記載の映像画質制御装置。
【請求項３】
前記日中の開始時刻と終了時刻テーブル保持部は、地域毎の日中の開始時刻と終了時刻テーブルを月日で分類して保持していることを特徴とする請求項１記載の映像画質制御装置。
【請求項４】
前記センサー出力利用部は、オフ状態またはオン状態に選択的に設定可能であることを特徴とする請求項１記載の映像画質制御装置。
【請求項５】
さらに、前記画質調整データを外部操作により強制的に補正可能な強制補正部が設けられていることを特徴とする請求項１記載の映像画質制御装置。
【請求項６】
制御部からの画質調整データにより映像処理部の映像信号を制御し、画面の明るさを調整する放送受信装置の制御方法において、前記制御部は
少なくとも地域毎の日中の開始時刻と終了時刻テーブルを保持し、
デジタル放送規定による地域の設定情報に基づいて本装置が設置されている設置地域を判別し、
前記設置地域の情報に基づいて、前記日中の開始時刻と終了時刻テーブルを参照し、前記設置地域の日中の開始時刻と終了時刻を特定し、
前記特定された日中の開始時刻と終了時刻に基づいて、前記開始時刻と終了時刻に到達する前の時間帯で次第に変化する前記画質調整データを出力し、前記開始時刻の前では前記画面を明方向へ、前記終了時刻の前では前記画面を暗方向へ調整し、
装置の周囲の明るさを検出するセンサーの出力に応じて前記画質調整データを補正する
ことを特徴とする映像画質制御方法。
【請求項７】
さらに、前記画画質調整データを外部操作に応じて強制的に補正することを特徴とする請求項６記載の映像画質制御方法。
【発明の詳細な説明】
【技術分野】
【０００１】
この発明は、映像画質制御装置とその制御方法に関するものであり、視聴する地域に適応した画質調整を自動的に行えるようにしたものである。
【背景技術】
【０００２】
従来、映像表示装置には画面の明るさを周囲の明るさに応じて自動的に調整する所謂画質調整機能が設けられている。また単純に周囲の明るさを検出して画質を調整する方式に対して、デジタルスチルカメラにおいて、時刻に応じて表示部の画質を調整する方式がデジタルスチルカメラに適用されているものもある。
【０００３】
また画質調整が目的ではないが、テレビジョンカメラ装置においては、時刻の情報のみならず、位置情報に基づいた日没及び日出情報を利用し、赤外カットフィルタ機構を制御する提案もある（例えば特許文献１）。これにより日没時の周囲の明るさ状況に応じて赤外カットフィルタを有効に利用するというものである。
【０００４】
画質調整技術において、時刻に応じて画質調整する機能があるが、この調整が最適であることはなく更なる改善が望まれている。
【特許文献１】特開２００４−２６６６０５号公報
【発明の開示】
【発明が解決しようとする課題】
【０００５】
そこでこの発明の目的は、時刻情報のみならず、装置が存在する地域の条件に応じて、当該地域で最適な画質調整を行なうことができる映像画質制御装置とその制御方法を提供することにある。
【課題を解決するための手段】
【０００６】
上記課題を解決するために、デジタル映像信号が入力され、画質調整データに応じて前記デジタル映像信号を調整して画面の明るさを調整する映像処理部を有した放送受信装置において、少なくとも地域毎の日中の開始時刻と終了時刻テーブルを有した日中の開始時刻と終了時刻テーブル保持部と、デジタル放送で規定されたチャンネルと地域との設定情報に基づいて本装置が設置されている設置地域を判別する設置地域判別部と、前記設置地域の情報に基づいて、前記日中の開始時刻と終了時刻テーブルを参照し、前記設置地域の日中の開始時刻と終了時刻を特定する日中の開始時刻と終了時刻特定部と、前記特定された日中の開始時刻と終了時刻に基づいて、前記開始時刻と終了時刻に到達する前の時間帯で次第に変化する前記画質調整データを出力し、前記開始時刻の前では前記画面を明方向へ、前記終了時刻の前では前記画面を暗方向へ調整する適応画質調整部と、周囲の明るさを検出するセンサーと、前記センサーの出力に応じて前記画質調整データを補正するセンサー出力利用部とを有する。
【発明の効果】
【０００７】
上記の手段によると、使用している装置の設置地域の日中の開始時刻と終了時刻を特定して、この情報に基づいて、画質調整を行なうために周囲の条件に最適な画質調整が行なわれる。
【発明を実施するための最良の形態】
【０００８】
以下図面を参照して、この発明の実施の形態を説明する。まずこの発明が適用された放送受信装置について概要を説明する。
【０００９】
図１は、デジタルテレビジョン放送受信装置４１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１０】
チューナ４５で選局された放送信号は、ＰＳＫ（Phase Shift Keying）復調器４６に供給されて、デジタルの映像信号及び音声信号に復調された後、信号処理部４７に出力される。
【００１１】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１２】
チューナ５０で選局された放送信号は、ＯＦＤＭ（Orthogonal Frequency Division Multiplexing）復調器５１に供給されて、デジタルの映像信号及び音声信号に復調された後、信号処理部４７に出力される。
【００１３】
また地上波アナログ信号を受信するアナログチューナ５８も設けられている。アナログチューナ５８で受信された信号は、アナログ復調器５９で復調され信号処理部４７に出力される。
【００１４】
ここで信号処理部４７は、ＰＳＫ復調器４６から供給されたデジタルの映像信号及び音声信号と、ＯＦＤＭ復調器５１から供給されたデジタルの映像信号及び音声信号と、アナログ復調器５９から供給された映像信号及び音声信号と、さらに外部ライン入力端子からの映像信号及び音声信号とに対して、選択的に所定のデジタル信号処理を施し、グラフィック処理部５２及び音声処理部５３に出力している。
【００１５】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００１６】
グラフィック処理部５２から出力されたデジタルの映像信号は、映像処理部５５に供給される。この映像処理部５５は、入力されたデジタルの映像信号を、映像表示器５７で表示可能なフォーマットのアナログ映像信号に変換し、映像表示器５７に出力して映像表示させる。
【００１７】
上記音声処理部５３は、入力されたデジタルの音声信号を、スピーカ５６で再生可能なフォーマットのアナログ音声信号に変換し、スピーカ５６に出力して音声再生させる。
【００１８】
ここで、このデジタルテレビジョン放送受信装置１１は、上記した各種の受信動作を含むその全ての動作を制御部６１によって統括的に制御されている。
【００１９】
制御部６１は、ＣＰＵ（Central Processing Unit）等を内蔵している。操作部７１からの操作情報を受けたとき、または、リモートコントローラ７２から送出された操作情報を受光部７３を介して受信したとき、制御部６１は、その操作内容が装置に反映されるように各部を統括して制御している。
【００２０】
この場合、制御部６１は、主として、そのＣＰＵが実行する制御プログラムを格納したＲＯＭ（Read Only Memory）６１１と、該ＣＰＵに作業エリアを提供するＲＡＭ（Random Access Memory）６１２と、各種の設定情報及び制御情報等が格納される不揮発性メモリ６１３とを利用している。
【００２１】
制御部６１は、カードＩ／Ｆ（Interface）７５を介して、メモリカード７７が装着可能なカードホルダ７６に接続されている。これによって、制御部６１は、カードホルダ７６に装着されたメモリカード７７と、カードＩ／Ｆ７５を介して情報の送受信を行なうことができる。制御部６１は、図示していないが、さらに別のカードＩ／Ｆを介して、第２のメモリカードが装着可能なカードホルダに接続されてもよい。
【００２２】
制御部６１は、通信Ｉ／Ｆ８１を介して第１のＬＡＮ端子８２に接続されている。これにより、制御部６１は、第１のＬＡＮ端子８２に接続されたＬＡＮ対応のＨＤＤ（ハードディスクドライブ装置）と、通信Ｉ／Ｆ８１を介して情報の送受信を行なうことができる。この場合、制御部６１は、ＤＨＣＰ（Dynamic Host Configuration Protocol）サーバ機能を有し、第１のＬＡＮ端子８２に接続されたＬＡＮ対応のＨＤＤにＩＰ（Internet Protocol）アドレスを割り当てて制御している。制御部６１は、図示していないがさらに別の通信Ｉ／Ｆを介して第２のＬＡＮ端子に接続されてもよい。
【００２３】
制御部６１は、ＵＳＢ Ｉ／Ｆ８３を介してＵＳＢ端子８４に接続されている。これにより、制御部６１は、ＵＳＢ端子８４に接続された各機器と、ＵＳＢ Ｉ／Ｆ８３を介して情報の送受信を行なうことができる。
【００２４】
上記制御部６１は、ｉ．Link（登録商標） Ｉ／Ｆ８５を介してｉ．Link（登録商標）端子８６に接続されている。これにより、制御部６１は、ｉ．Link（登録商標）端子８６に接続された各機器と、ｉ．Link（登録商標）Ｉ／Ｆ８５を介して情報の送受信を行なうことができる。
【００２５】
また上記制御部６１は、ＨＤＭＩ（High Definition Multimedia Interface）規格に合致したＨＤＭＩ Ｉ/Ｆ ８７を介してＨＤＭＩ端子８８に接続された各機器と情報の送受信を行なうことができる。
【００２６】
さらに制御部６１は、例えば日出/日没時刻テーブル保持部６２１を有する。この発明の実施形態の説明では、日出／日没時刻と称しているが、この特定用語に限定されるものではなく、昼夜の境目の時刻２箇所の時刻、あるいは日中の開始時刻と終了時刻と称してもよく概念的に広く設定している。これは基準となる時刻を調整或いは修正して用いる場合もあるからである。
【００２７】
以下は、仮に日出/日没時刻の用語を用いて説明する。この日出/日没時刻テーブル保持部６２１は、少なくとも地域毎の日出/日没時刻テーブルを保持している。この日出/日没時刻テーブル保持部６２１は、制御部６１に接続された別のメモリに構築されていてもよい。また制御部６１は、設置地域判別部６２２を有する。この設置地域判別部６２２は、デジタル放送の受信チャンネルの地域設定情報に基づいて本装置が設置されている設置地域を判別することができる。また制御部６１は、日出／日没時刻特定部６２３を有する。この日出／日没時刻特定部６２３は、前記設置地域の情報に基づいて、前記日出/日没時刻テーブルを参照し、前記設置地域の日出／日没時刻を特定することができる。さらに制御部６１は、画質調整部６２４を有する。この画質調整部６２４は、日出／日没時刻特定部６２３により特定された日出／日没時刻に基づいて、該当する時刻の前後を含めた時間帯で画質調整を行なう。
【００２８】
また、制御部６１には、月日及び時刻情報検出部６２５が存在する。月日及び時刻情報検出部６２５は装置の時刻情報から、現在の月日及び時刻情報を検出している。さらにまた、制御部６１は、画質調整データ保持部６２６を有する。画質調整データは、日出/日没時刻テーブル保持部６２１の日出/日没時刻に対応して予め最適となる値としてこの画質調整データ保持部６２６に格納されている。
【００２９】
この画質調整データ保持部６２６の調整データは、外部メモリから取り込まれるようにしてもよい。また必要に応じて、利用者或いは販売員が強制的に画質調整データ保持部６２６のデータを補正できる手動強制補正部６２７が設けられてもよい。前記手動強制補正部６２７が利用されるときは、例えば操作部７１の強制補正ボタンを強制補正モードに設定し、メニュー画面を見ながらアップダウンボタンを用いて、時間帯及び地域毎の調整データを増減することができる。勿論このメニュー画面には初期設定に戻す項目があり、初期の調整データに戻す処理が可能になっている。
【００３０】
さらにまた上記した装置には、周囲の明るさを検出するセンサー９０が設けられていてもよい。そしてセンサー９０からの検出信号を画質調整データに加減算し、画質調整データを補正するセンサー出力利用部６２８が設けられていてもよい。オフ状態にあるセンサー出力利用部６２８を起動して利用するときは、操作部７１を操作して、メニュー画面を表示しセンサー出力利用項目を選択し決定ボタンを押すことで設定可能である。
【００３１】
図２は、上記リモートコントローラ７２の外観を示している。このリモートコントローラ７２には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。番組表キー１７ｈを押すと、番組表が表示される。終了キー１７１を押すと、オンエアー（現在受信中のチャンネルの映像の表示）状態に戻る。例えばクイックキー１７ｅを押すと、各種のメニュー画面の表示モードに移行することができる。
【００３２】
図３と図４には、日出/日没時刻テーブル保持部６２１に保持されている日出/日没時刻テーブルの例を示している。図３のテーブルにおいて、縦方向には月と日が記述されて、横方向に日本の地域が記述されている。各地域の欄において、縦方向には、各月日の日出と日没時刻が記述されている。したがって、装置の設置地域と、月日が判別すると、その日の日出、日没時刻が判明する。即ちこの場合は、テーブル保持部６２１は地域毎の日没／日出時刻テーブルを月日で分類して保持している。
【００３３】
図４の日出/日没時刻テーブルは、縦方向に春、夏、秋、冬を分類し、各季節の平均日照時間から、日出/日没時刻を決めている。横方向に関しては、図３のテーブルに比べて、大まかな地域で分類している。即ちこの場合は、日出/日没時刻テーブル保持部６２１は、地域毎の日没／日出時刻テーブルを四季で分類して保持している
図５には、図１の装置の動作例を示している。この動作フローは、例えば定期的に起動される。起動するとまず設置地域判別部６２２から、設置地域情報を取得する（ステップＳＡ１）。次に、月日及び時刻情報検出部６２５から月日及び時刻情報を取得して現在の時刻を判断する（ステップＳＡ２）。次に、取得した設置地域情報と、月日及び時刻情報を利用して、日出/日没時刻テーブル保持部６２１の日出/日没時刻テーブルを参照し（ステップＳＡ３）、現在時刻が日出の時間帯であるか、日没時間帯であるか、または日中であるか、または夜であるのかの判定を行なう（ステップＳＡ４）。今、日没時間帯であったとすると、この時間帯のために予め設定している画質調整データを用いて画質調整を行ない（ステップＳＡ５）、終了する（ステップＳＡ６）。
【００３４】
図６は上記の装置が例えば日没時刻に画面の明るさを調整するときの特性例を示す図である。横軸に時間を示し、縦軸に明るさ調整値を示している。この装置は、日没時間になったからといって、急激に画質調整データ保持部６２６からの調整データに切り替えるのではなく、時間（例えば５０分乃至３０分）をかけて画質調整データが変化するように調整している。
【００３５】
この発明の装置は、センサー出力利用部６２８を利用者が任意に起動することができる。テレビジョン放送受信装置が必ずしも設計者の意図した環境の元で使用されるとは限らない場合がある。例えば、日出・日没による周囲の明るさ変化に加えて、さらに強い影響を与える照明がある環境でテレビジョン放送受信装置が使用される場合もある。このような場合は、センサー出力利用部６２８を起動することにより、一層適切な画質自動調整を行なうことができる。
【００３６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。
【図面の簡単な説明】
【００３８】
【図１】この発明の一実施の形態を示すブロック図である。
【図２】リモートコントローラの例を示す図である。
【図３】図１の日出／日没時刻テーブル保持部のテーブルの例を示す図である。
【図４】図１の日出／日没時刻テーブル保持部のテーブルの他の例を示す図である。
【図５】図１の装置の動作例を説明するフローチャートである。
【図６】図１の装置が画質調整を行なうときの調整データが変化する例を示す説明図である。
【符号の説明】
【００３９】
４５・・・衛星デジタル放送用のチューナ、４６・・・ＰＳＫ復調器、４７・・・信号処理部、４８・・・地上デジタル放送受信用のアンテナ、５０・・・地上デジタル放送用のチューナ、５１・・・ＯＦＤＭ（Orthogonal Frequency Division Multiplexing）復調器、５２・・・グラフィック処理部、５３・・・音声処理部、５４・・・ＯＳＤ信号生成部、５５・・・映像処理部、６１・・・制御部、６１３・・・不揮発性メモリ、６２１・・・日出/日没時刻テーブル保持部、６２２・・・設置地域判別部、６２３・・・日出／日没時刻特定部、６２４・・・適応画質調整部、６２５・・・月日及び時刻情報検出部、６２６・・・画質調整データ保持部、６２７・・・手動強制補正部、６２８・・・センサー出力利用部。
【要約】
【課題】時刻情報のみならず、装置が存在する地域の条件に応じて、当該地域で最適な画質調整を行なうことができる映像画質制御装置とその制御方法を提供する。
【解決手段】
この発明の一実施の形態は、少なくとも地域毎の日中の開始時刻と終了時刻テーブルを有した日中の開始時刻と終了時刻テーブル保持部と、受信チャンネルの地域設定情報に基づいて本装置が設置されている設置地域を判別する設置地域判別部と、前記設置地域の情報に基づいて、前記日中の開始時刻と終了時刻テーブルを参照し、前記設置地域の日中の開始時刻と終了時刻を特定する日中の開始時刻と終了時刻特定部と、前記特定された日中の開始時刻と終了時刻に基づいて、該当する時刻の前後を含めた時間帯で画質調整を行なう適応画質調整部とを有する。
【選択図】      図１【図１】
0004331245.tif 000002
【図２】
0004331245.tif 000003
【図３】
0004331245.tif 000004
【図４】
0004331245.tif 000005
【図５】
0004331245.tif 000006
【図６】
0004331245.tif 000007